(57)【要約】【課題】食品の入った寸法の異なる複数の容器が凹部内を不測に移動することを容易かつ確実に防止することができる食品用トレイを提供する。【解決手段】食品が入った容器を収容するための凹部１を複数備えたプラスチック製の食品用トレイであって、各凹部１は、底壁５と、底壁５の外周縁から立ち上げられた第１側壁６と、第１側壁６よりも大きな直径を有し、かつ、第１側壁６の上端に段差部７を介して立ち上げられた第２側壁８と、底壁５の外周縁よりも内側の上面に底壁５に載置される容器の下端部の外面に当接すべく上方へ突出する突出部９とを備えている。【選択図】  図１
0003194656.tif 000002
【実用新案登録請求の範囲】
【請求項１】
食品が入った容器を収容するための凹部を複数備えたプラスチック製の食品用トレイであって、
前記各凹部は、底壁と、底壁の外周縁から立ち上げられた第１側壁と、該第１側壁よりも大きな直径を有し、かつ、該第１側壁の上端に段差部を介して立ち上げられた第２側壁と、前記底壁の外周縁よりも内側の上面に該底壁に載置される容器の下端部の外面に当接すべく上方へ突出する突出部とを備えていることを特徴とする食品用トレイ。
【請求項２】
前記第２側壁の上端から立ち上げられ、上端側ほど外側に位置するテーパー状の第３側壁を更に備えていることを特徴とする請求項１に記載の食品用トレイ。
【請求項３】
前記容器の下面が中心部ほど上方に位置するように盛り上がる盛り上がり部を有し、前記底壁の中心部に前記容器の盛り上がり部に接触する膨出部を備えていることを特徴とする請求項１又は２に記載の食品用トレイ。
【請求項４】
前記突出部が、周方向に所定間隔を置いて上方へ突出する複数の突起から構成されていることを特徴とする請求項１〜３のいずれか１項に記載の食品用トレイ。
【請求項５】
前記第２側壁が、上端側ほど外側に位置するテーパー状に形成され、該第２側壁のテーパー角度が前記第３側壁のテーパー角度よりも小さなテーパー角度に設定されていることを特徴とする請求項２〜４のいずれか１項に記載の食品用トレイ。
【考案の詳細な説明】
【技術分野】
【０００１】
本考案は、ケーキ、プリン、ムース、ゼリー、和菓子等の食品が入ったガラス容器又はプラスチック容器あるいは紙容器等を収容するためのプラスチック製の食品用トレイに関する。
【背景技術】
【０００２】
従来から、食品を入れる容器として、ガラス製、プラスチック製、紙製等の材質が異なるだけでなく、形や大きさが異なる多種類の容器が使用されている。それら多種類の容器に食品を入れて販売し、販売者は、客が購入した多種類の食品入り容器を持ち帰ることができるように箱に入れて客に渡す。そして、多種類の容器が入った箱を客が持ち帰っている最中に箱内で容器が不測に移動することがないように、容器同士間の隙間を埋めるための紙の切れ端等を箱内に詰めることが行われている。
【考案の概要】
【考案が解決しようとする課題】
【０００３】
上記構成によれば、購入した食品の入った容器の数量や種類により、箱内に発生する隙間の大きさが変化する。そのため、箱内に入れる紙の量を隙間の大きさに応じて調整しなければならず、手間のかかる煩わしいものであった。
また、紙の切れ端を箱内に入れて容器同士間に発生する隙間を埋めたとしても、容器を確実に位置決めすることができず、箱内で容器が不測に移動することを十分に防止することができないものであり、改善の余地があった。
【０００４】
そこで、本考案は、かかる事情に鑑みてなされたもので、食品の入った寸法の異なる複数の容器が凹部内を不測に移動することを容易かつ確実に防止することができる食品用トレイを提供することを課題とする。
【課題を解決するための手段】
【０００５】
本考案に係る食品用トレイは、食品が入った容器を収容するための凹部を複数備えたプラスチック製の食品用トレイであって、前記各凹部は、底壁と、底壁の外周縁から立ち上げられた第１側壁と、該第１側壁よりも大きな直径を有し、かつ、該第１側壁の上端に段差部を介して立ち上げられた第２側壁と、前記底壁の外周縁よりも内側の上面に該底壁に載置される容器の下端部の外面に当接すべく上方へ突出する突出部とを備えていることを特徴としている。
【０００６】
本考案によれば、各凹部に第１側壁、第２側壁、突出部を備えることによって、凹部内に直径の異なる食品が入った容器を収容するだけで、第１側壁、第２側壁、突出部のうちのいずれかに容器の外面が接触して、容器が凹部内を不測に移動することを防止することができる。しかも、２つの側壁と第１側壁内に形成された突出部とから構成することによって、直径の異なる３つの側壁を２つの段差部を介して上下方向に形成する場合に比べて、凹部の上下方向における寸法を小さくすることができる。
【０００７】
また、本考案に係る食品用トレイは、前記第２側壁の上端から立ち上げられ、上端側ほど外側に位置するテーパー状の第３側壁を更に備えていてもよい。
【０００８】
上記のように、テーパー状の第３側壁を備えることによって、第２側壁よりも大きな直径を有する容器を凹部内に不測に移動することがないように収容することができる。しかも、テーパーであることから、テーパー内に収まる大きさの容器であれば、どのような大きさの容器であっても、不測に移動することがないように凹部内に確実に収容することができる。
【０００９】
また、本考案に係る食品用トレイは、前記容器の下面が中心部ほど上方に位置するように盛り上がる盛り上がり部を有し、前記底壁の中心部に前記容器の盛り上がり部に接触する膨出部を備えていてもよい。
【００１０】
上記のように、容器の下面の盛り上がり部に底壁の中心部の膨出部が接触することによって、底壁の中心部の膨出部が容器の移動抵抗となり、容器が凹部内で不測に移動することをより一層防止することができる。
【００１１】
また、本考案に係る食品用トレイは、前記突出部が、周方向に所定間隔を置いて上方へ突出する複数の突起から構成されていてもよい。
【００１２】
上記のように、突出部が、周方向に所定間隔を置いて上方へ突出する複数の突起から構成されることによって、環状の突起から構成する場合に比べて材料コストを低減することができる。
【００１３】
また、本考案に係る食品用トレイは、前記第２側壁が、上端側ほど外側に位置するテーパー状に形成され、該第２側壁のテーパー角度が前記第３側壁のテーパー角度よりも小さなテーパー角度に設定されていてもよい。
【００１４】
上記のように、第２側壁のテーパー角度を第３側壁のテーパー角度よりも小さなテーパー角度に設定することによって、例えば直径の小さい縦長状の容器を接触面積が多い第２側壁によって安定よく確実に保持することができる。
【考案の効果】
【００１５】
以上の如く、本考案によれば、各凹部に第１側壁、第２側壁、突出部を備えることによって、凹部内に直径の異なる食品が入った容器を収容するだけで、複数の容器が凹部内を不測に移動することを容易かつ確実に防止することができる食品用トレイを提供することができる。
【図面の簡単な説明】
【００１６】
【図１】本考案に係る食品用トレイを一部断面にした側面図である。
【図２】同食品用トレイを示し、（ａ）は平面図、（ｂ）は正面図である。
【図３】同食品用トレイの凹部に第１の容器を収容した断面図である。
【図４】（ａ）は同食品用トレイの凹部に第２の容器を収容した断面図、（ｂ）は同食品用トレイの凹部に第３の容器を収容した断面図である。
【図５】（ａ）は同食品用トレイの凹部に第４の容器を収容した断面図、（ｂ）は同食品用トレイの凹部に第５の容器を収容した断面図である。
【図６】（ａ）は同食品用トレイの凹部に第６の容器を収容した断面図、（ｂ）は同食品用トレイの凹部に第７の容器を収容した断面図である。
【考案を実施するための形態】
【００１７】
以下、本考案に係る食品用トレイの一実施形態について、図面に基づいて説明する。
【００１８】
図１及び図２（ａ），（ｂ）には、食品が入った容器を収容することができる３個の凹部１が形成された食品用トレイ２が示されている。この食品用トレイ２は、図１に２点鎖線で示す箱３（蓋付の容器でもよい）に入れられた状態で持ち運びされる。尚、この箱は、上端に開閉自在な蓋（図示せず）を備えており、蓋を開放して食品用トレイ２を箱３内へ入れる、あるいは箱３内から取り出すことができる。尚、図１及び図２（ａ），（ｂ）に矢印で前後方向及び左右方向並びに上下方向を決めており、これら決められた方向に基づいて説明を行う。ここでは、食品用トレイ２を箱３に入れて運搬する場合を説明しているが、食品が入った容器を収容した食品用トレイ２をそのまま陳列台等に置いて陳列してもよい。また、食品が入った容器を収容した食品用トレイ２を冷蔵又は冷凍した後に、箱に入れて輸送する流通用のトレイとして利用してもよい。
【００１９】
食品用トレイ２は、プラスチック材料で構成され、平面視において長方形状の外枠部４を有し、外枠部４の長手方向に沿って３個の凹部１が一列状に形成されている。
【００２０】
プラスチック材料としては、ポリプロピレン樹脂、ポリエチレン樹脂、ポリエチレンテレフタレート樹脂、ポリスチレン樹脂、ポリカーボネート樹脂、アクリルニトリルコポリマー、ポリ塩化ビニル樹脂などの各種の合成樹脂材料があげられる。また、これらの樹脂に無機質のフィラーを混入して保形強度を高めることもできる。
【００２１】
３個の凹部１は、同一の大きさで同一形状に形成されている。各凹部１は、円形の底壁５と、底壁５の外周縁から上方へ立ち上げられた第１側壁６と、該第１側壁６よりも大きな直径を有し、かつ、第１側壁６の上端に水平な段差部７を介して上方へ立ち上げられた第２側壁８と、底壁５の外周縁よりも内側の上面に底壁５に載置される容器の下端部の外面に当接すべく上方へ突出する突出部９とを備えている。従って、少なくとも直径の異なる３種類の容器を凹部１内で移動することがないように凹部１に収容することができる。第２側壁８の縦（上下）寸法は、第１側壁６の縦（上下）寸法の２倍を超える長さ（実際には約４倍の長さ）に設定されている。
【００２２】
第２側壁８の上端から、上端側ほど外側に位置するテーパー状の第３側壁１０が立ちあげられ、第２側壁８よりも長い縦（上下）寸法に設定されている。また、第２側壁８は、図３に示すように、上端側ほど外側に位置するテーパー状に形成され、第２側壁８のテーパー角度Ｔ１が第３側壁１０のテーパー角度Ｔ２よりも小さなテーパー角度に設定されている。このように、テーパー状の第３側壁１０を備えることによって、第２側壁８よりも大きな直径を有する容器を凹部１内に不測に移動することがないように収容することができる。しかも、テーパーであることから、テーパー内に収まる大きさの容器であれば、どのような大きさの容器であっても、不測に移動することがないように凹部１内に確実に収容することができる。
【００２３】
上記のように、第１側壁６、第２側壁８、第３側壁１０、突出部９に、容器の外面が接触することによって、容器が凹部１内を不測に移動することを防止することができる。しかも、３つの側壁６，８，１０と第１側壁６内に形成された突出部９とから構成することによって、直径の異なる４つの側壁を３つの段差部を介して上下方向に形成した場合に比べて、上下方向における凹部１の寸法を小さくすることができる。
【００２４】
底壁５の中心部（突出部９よりも内側）には、中心側ほど上方に膨出する円形の膨出部５Ｔを備えている。この膨出部５Ｔは、緩やかなで滑らかな湾曲面に構成されている。これに対して、図６（ａ）に示すように、容器２１の下面が中心部ほど上方に位置するように盛り上がる盛り上がり部２１Ｓを有している。この盛り上がり部２１Ｓは、緩やかなで滑らかな湾曲面に構成されている。従って、容器２１を底壁５に載置すると、容器２１の下面の盛り上がり部２１Ｓが、底壁５の膨出部５Ｔに接触することによって、容器２１が凹部１内で不測に移動することをより一層防止することができる。
【００２５】
突出部９は、周方向に所定間隔を置いて上方へ突出する複数（ここでは４個）の突起9ｔから構成されている。突起9ｔは、平面視円形で上下方向において同一の直径になっている。また、突起9ｔの上端は、第１側壁６の上端よりも僅かに低くなっているが、同一高さにしてもよい。突出部９が、周方向に所定間隔を置いて上方へ突出する複数の突起９ｔから構成されているので、環状の突起から構成する場合に比べて材料コストを低減することができる利点がある。ここでは、突出部９を形成しているが、底壁５の中心部を下方へ凹ませ、その凹ませた凹部に容器を固定できるようにしてもよい。
【００２６】
外枠部４は、図１及び図２（ａ），（ｂ）に示すように、各凹部１の上端の四隅のそれぞれに上端側ほど細くなる尖がり部１１を備えるとともに、尖がり部１１の外側に延びる外周縁部１２とを備えている。尖がり部１１のうちの前後方向で隣り合う尖がり部１１，１１同士間が下側に凸となる円弧状の第１湾曲部１３で連結され、左右方向で隣り合う尖がり部１１，１１同士間が第１湾曲部１３よりも小さな曲率半径を有する下側に凸となる円弧状の第２湾曲部１４で連結されている。又、左右方向で隣り合う凹部１，１において左右方向で隣り合う前側の尖がり部１１，１１同士間及び後側の尖がり部１１，１１同士間が第２湾曲部１４よりも小さな曲率半径を有する下側に凸となる円弧状の第３湾曲部１５で連結されている。
【００２７】
外周縁部１２は、尖がり部１１の外側の下端から水平方向外側へ延出される環状の水平板部１２Ａと、水平板部１２Ａの外側端から下方へ垂下する環状の縦板部１２Ｂと、縦板部１２Ｂの下端から水平方向外側へ突出する環状の外側フランジ部１２Ｃとを備えている。このように形成された外周縁部１２により食品用トレイ２の保形強度を高めることができるようにしている。
【００２８】
前述のように構成された食品用トレイ２の凹部１には、多種類の容器を収容することができ、以下において７種類の容器１６〜２２を凹部１に収容することができることを説明する。尚、図では、容器内に収納する食品は、ほとんど図示していないが、ケーキ、プリン、ムース、ゼリー、和菓子等の食品が容器に収納される。
【００２９】
図３に、上下方向に多数の段差部１６Ａを介して直径の異なる多数の外壁部１６Ｂが多数形成されているガラス製の背の高い容器１６が凹部１内に収容されている。この容器１６は、上端側ほど大きな直径になっている。下から２段目の外壁部１６Ｂとこの外壁部１６Ｂの下側の段差部１６Ａとの角部１６Ｃ及び下から４段目の外壁部１６Ｂとこの外壁部１６Ｂの下側の段差部１６Ａとの角部１６Ｄの２箇所で第３側壁１０（の内面）に当接して凹部１内に保持された状態になっている。容器１６の下面１６Ｕは、どこにも接触しておらず浮いている状態になっている。尚、図３では、容器１６の右半分のみを図示しており、左半分も同一であるため、左半分を省略している。
【００３０】
図４（ａ）に、下側ほど窄まったテーパー面１７ａを有する下部１７Ａと下部１７Ａの上端から略同一の直径で上方に延びる上部１７Ｂとを備えるガラス製の容器１７が凹部１内に収容されている。容器１７のテーパー面１７ａが第３側壁１０の上端の内面１０ａに当接して凹部１内に保持された状態になっている。容器１７の下面１７Ｕは、どこにも接触しておらず浮いている状態になっている。尚、図４（ａ）では、容器１７の右半分のみを図示しており、左半分も同一であるため、左半分を省略している。
【００３１】
図４（ｂ）に、同一径で形成された下部１８Ａと、下部１８Ａの上端から上側ほど直径が大きくなるテーパー状の上部１８Ｂとを備え、上部１８Ｂの外面には、外側に突出する縦方向に形成されるリブ１８Ｒが周方向に多数形成されているガラス製の容器１８が凹部１に収容されている。この容器１８の底部における外周縁部１８Ｇが第１側壁６と段差部７との境界部となる角部６Ｈに当接して凹部１内に保持された状態になっている。容器１８の下面１８Ｕは、どこにも接触しておらず浮いている状態になっている。尚、図４（ｂ）では、容器１８の右半分のみを図示しており、左半分も同一であるため、左半分を省略している。
【００３２】
図５（ａ）に、下部側に外側に凸となる湾曲部１９Ａが形成され、上部側に上側ほど直径が大きくなるテーパー部１９Ｂとを有するプラスチック製の容器１９が、凹部１内に収容されている。この容器１９は、その底部の外周縁１９Ｇが突起９ｔの内側面９Ｈに当接して凹部１内に保持された状態になっている。尚、図５（ａ）では、容器１９の右半分のみを図示しており、左半分も同一であるため、左半分を省略している。
【００３３】
図５（ｂ）に、内側に円弧状に凹んだ凹状の下部２０Ａと、上側ほど外側に突出するテーパー状の上部２０Ｂと、底部２０Ｓの下面の外周縁に下方へ突出する円環状の突起部２０Ｒとを備えたプラスチック製の容器２０が、凹部１内に収容されている。この容器２０の底部２０Ｓの突起部２０Ｒが、第１側壁６と突起９ｔとの間に入り込むことによって凹部１内に保持された状態になっている。尚、図５（ｂ）では、容器２０の右半分のみを図示しており、左半分も同一であるため、左半分を省略している。
【００３４】
図６（ａ）に、下端から上方に向うほど外側に緩やかに突出する湾曲面を有する下部２１Ａと、下部２１Ａの上端から同一径で上方に延びる上部２１Ｂとを備えたガラス製の容器２１が、凹部１内に収容されている。この容器２１の底部の外周縁２１Ｇが、突起９ｔの内側面９Ｈに当接して凹部１内に保持された状態になっている。また、容器２１の底部の下面２１Ｓが中心部ほど上方へ盛り上がった盛り上がり部（湾曲面）から構成されており、容器２１の盛り上がり部２１Ｓが、底壁５の膨出部５Ｔに接触することによって、容器２１が凹部１内で不測に移動することをより一層防止することができる。尚、図６（ａ）では、容器２１の右半分のみを図示しており、左半分も同一であるため、左半分を省略している。
【００３５】
図６（ｂ）に、カップケーキ２３が入った紙製の容器２２が、凹部１内に収容されている。この容器２２は、その底部の外周縁２２Ｇが第３側壁１０の内面１０Ａに当接して凹部１内に保持された状態になっている。尚、図６（ｂ）では、容器２２の右半分のみを図示しており、左半分も同一であるため、左半分を省略している。
【００３６】
尚、本考案は、前記実施形態に限定されるものではなく、本考案の要旨を逸脱しない範囲で種々の変更が可能である。
【００３７】
前記実施形態では、テーパー状の第３側壁１０をも備えたものを示したが、第３側壁１０の無い構成であってもよい。
【００３８】
また、前記実施形態では、突出部９が、周方向に所定間隔を置いて上方へ突出する複数の突起９ｔから構成したが、円環状の突起から構成することもできる。
【００３９】
また、前記実施形態では、容器が円形のものであったため、凹部も円形に構成したが、容器の形状に合わせて、凹部の形状を変更して実施することもできる。また、円形の凹部の内側面の周方向複数個所（３，４箇所が好ましい）に、内方側へ突出する突部を形成して、それら複数の突部で容器を支持させる構成にしておけば、形状の異なる多くの種類の容器を固定することができる利点がある。
【００４０】
また、前記実施形態では、第２側壁８が、上端側ほど外側に位置するテーパー状に形成されていたが、上下方向にまっすぐに延びる垂直状に形成してもよい。また、第２側壁のテーパー角度を前記第３側壁のテーパー角度よりも大きなテーパー角度に設定して実施してもよい。
【００４１】
また、前記実施形態では、第１側壁６の上端と第２側壁８の下端とを繋ぐ段差部７が水平方向に延びるように形成されていたが、外側ほど下方へ位置するように傾斜する方向、又は外側ほど上方へ位置するように傾斜する方向へ延びるように形成してもよい。
【００４２】
また、前記実施形態では、３つの凹部１を備えた食品用トレイ２を示したが、２つの凹部又は４つ以上の任意の個数の凹部を備えた食品用トレイであってもよい。尚、凹部の個数が多い場合には、凹部を１列ではなく２列以上併設して食品用トレイを構成してもよい。
【００４３】
また、前記実施形態では、第２側壁８の内面に外面が当接して位置決めされる容器を示していないが、第２側壁８の内面に外面が当接して位置決めされる容器も収容することができる。この場合、第２側壁８のテーパー角度Ｔ１を第３側壁１０のテーパー角度Ｔ２よりも小さなテーパー角度に設定しているので、例えば直径の小さい縦長状の容器を接触面積が多い第２側壁８によって安定よく確実に保持することができる利点がある。
【符号の説明】
【００４４】
１…凹部、２…食品用トレイ、３…箱、４…外枠部、５…底壁、５Ｔ…膨出部、
５Ｔ…膨出部、６…第１側壁、６Ｈ…角部、７…段差部、８…第２側壁、９…突出部、９ｔ…突起、９Ｈ…内側面、１０…第３側壁、１０Ａ…内面、１１…尖がり部、１２…周縁部、１２Ａ…水平板部、１２Ｂ…縦板部、１２Ｃ…外側フランジ部、１３，１４，１５…湾曲部、１６〜２２…容器、１６Ａ…段差部、１６Ｂ…外壁部、１６Ｃ，１６Ｄ…角部、１６Ｕ…下面、１７Ａ…下部、１７Ｂ…上部、１７Ｕ…下面、１７ａ…テーパー面、１８Ａ…下部、１８Ｂ…上部、１８Ｇ…外周縁部、１８Ｒ…リブ、１８Ｕ…下面、１９Ａ…湾曲部、１９Ｂ…テーパー部、１９Ｇ…外周縁、２０Ａ…下部、２０Ｂ…上部、２０Ｒ…突起部、２０Ｓ…底部、２１Ａ…下部、２１Ｂ…上部、２１Ｇ…外周縁、２１Ｓ…下面（盛り上がり部）、２２Ｇ…外周縁、２３…カップケーキ、Ｔ１，Ｔ２…テーパー角度
【図１】
0003194656.tif 000003
【図２】
0003194656.tif 000004
【図３】
0003194656.tif 000005
【図４】
0003194656.tif 000006
【図５】
0003194656.tif 000007
【図６】
0003194656.tif 000008